(57)【要約】【課題】  省スペースかつ安価に実現される水準器を備えた燃料電池、およびこの燃料電池を搭載し、水平度が保たれた画像が得られる撮影装置を提供する。【解決手段】  液体燃料を貯留する液体燃料タンク１１と、その液体燃料タンク１１内に吊り下げ部材１９と錘２０とで構成される振り子２１が配備され、下に凸の円弧上のみ移動自在に移動が制限されて、その円弧上の、液体燃料タンク１１の傾きに応じた位置に移動する指示体としての錘２０とを備え、液体燃料タンク１１の少なくとも一部が、その液体燃料タンク外部から錘２０を視認させる光透過性の部材からなる。【選択図】        図２
2006344384.tif 000002
【特許請求の範囲】
【請求項１】
液体燃料を消費して発電する燃料電池において、
前記液体燃料を貯留する液体燃料タンクと、
前記液体燃料タンク内に配備され、下に凸の円弧上のみ移動自在に移動が制限されて、該円弧上の、該液体燃料タンクの傾きに応じた位置に移動する指示体とを備え、
前記液体燃料タンクの少なくとも一部が、該液体燃料タンク外部から前記指示体を視認させる光透過性の部材からなることを特徴とする燃料電池。
【請求項２】
前記指示体は、該指示体とともに振り子を構成する吊り下げ部材に固定されたものであることを特徴とする請求項１記載の燃料電池。
【請求項３】
前記液体燃料タンクが、前記指示体を移動自在に支持する円弧状の支持部を有するものであることを特徴とする請求項１記載の燃料電池。
【請求項４】
液体燃料を消費して発電する燃料電池を搭載し該燃料電池から電力の供給を受けて作動し、撮像素子上に被写体像を結像して画像データを生成する撮影装置において、
前記燃料電池は、
前記液体燃料を貯留する液体燃料タンクと、
前記液体燃料タンク内に配備され、下に凸の円弧上のみ移動自在に移動が制限されて、該円弧上の、該液体燃料タンクの傾きに応じた位置に移動する指示体とを備え、
前記液体燃料タンクの少なくとも一部が、該液体燃料タンク外部から前記指示体を視認させる光透過性の部材からなるものであって、
この撮影装置は、前記指示体を視認させる窓部を備えたことを特徴とする撮影装置。
【発明の詳細な説明】
【技術分野】
【０００１】
本発明は、液体燃料を消費して発電する燃料電池、および該燃料電池から電力の供給を受けて作動し、撮像素子上に被写体像を結像して画像データを生成する撮影装置に関する。
【背景技術】
【０００２】
従来より、様々な電子機器の電源として、マンガン電池等の一次電池やリチウムイオン電池等の二次電池が広く使われている。近年では、これら電子機器に用いる電源として、高い発電効率が得られる燃料電池が注目されている。中でも、燃料となる液体のメタノールを消費して発電するメタノール直接型燃料電池（Ｄｉｒｅｃｔ  Ｍｅｔｈａｎｏｌ  Ｆｕｅｌ  Ｃｅｌｌ：ＤＭＦＣ）は、メタノールを水素に改質する触媒改質器やＣＯ濃度制御用の反応器等が不要であり、小型・軽量化に適していることから、特に携帯用の電子機器への利用が期待されている。
【０００３】
ところで、従来より、広く使用されている一次電池或いは二次電池を内部に収納して該電池の電力を電子機器本体に供給するとともにこの電子機器本体に着脱できる構造にした電池パックが知れれている。近年、電池パック本体の電子機器本体に取り付ける側の反対側に設けられた凹溝を有する電池パックと、この凹溝に挿入される、水平度を定める水準器本体とからなることを特徴とする水準器付き電池パックが開示されている（例えば、特許文献１参照。）。
【０００４】
特許文献１によれば、電池パック本体に水準器を付加することによって別体の水準器を持ち歩かずに、簡便に水平度を測ることできる。従って、建築現場などで水準器をよく使用する使用者などにとっては、例えば、水準器付き電池パックを内臓した携帯電話を普段から持ち歩いていると、必要なときに使用できるから便利である。
【特許文献１】特開２０００−９０９０１号公報（第４頁、図１）
【発明の開示】
【発明が解決しようとする課題】
【０００５】
この特許文献１で開示された水準器付き電池パックには、使用者が、水準器として使用する際に電子機器から電池パックを取り出す必要があり、電子パックを取り出している間、その使用者は電子機器自体を使用できないという問題がある。
【０００６】
ところで、電子機器の中には水平な姿勢で動作させることが望ましい電子機器があり、一例として、電子機器の一つである、燃料電池を搭載した撮影装置がある。すなわち、撮影時に傾いた姿勢で撮影すると、そのまま傾いた画像が得られることになり、後で画像を修正することは困難である。特に、水平線や地面に直立した建物などを撮影する際には被写体画像の僅かな傾きも目立つため好ましくない。そこで、特許文献１に開示された技術を上記燃料電池に適用しようとすると、燃料電池に水準器を取り外し可能な構造にする必要があり、省スペース化に問題がある。また、使用時に燃料電池を取り出す必要があり、急なシャッターチャンスに対応できないという問題もある。
【０００７】
本発明は、上記事情に鑑み、省スペースかつ安価に実現される水準器を備えた燃料電池、およびこの燃料電池を搭載し、水平度が保たれた画像が得られる撮影装置を提供することを目的とする。
【課題を解決するための手段】
【０００８】
上記目的を達成する本発明の燃料電池は、液体燃料を消費して発電する燃料電池において、
上記液体燃料を貯留する液体燃料タンクと、
上記液体燃料タンク内に配備され、下に凸の円弧上のみ移動自在に移動が制限されて、その円弧上の、液体燃料タンクの傾きに応じた位置に移動する指示体とを備え、
上記液体燃料タンクの少なくとも一部が、その液体燃料タンク外部から指示体を視認させる光透過性の部材からなることを特徴とする。
【０００９】
本発明の燃料電池は、液体燃料タンクの少なくとも一部が、その液体燃料タンク外部から上記指示体を視認させる光透過性の部材で構成され、液体燃料タンクの傾きに応じた位置に移動する指示体を備えていることにより水準器としての機能を有する。したがって、使用者は、別途市販の水準器等を使用せずに燃料タンク内の指示体を視認すれば、容易に水平度を知ることができる。また、本発明の燃料電池は、液体燃料タンク内部に水準器の機能が備えられている。したがって、水準器を燃料電池の外部に外付けせずに済み、省スペースおよび小型化が実現される。
【００１０】
ここで、上記指示体は、該指示体とともに振り子を構成する吊り下げ部材に固定されたものであることが好ましい。
【００１１】
振り子を構成する吊り下げ部材の下端に上記指示体が固定されたものであると、安価に水準器付き燃料電池が実現される。
【００１２】
また、上記液体燃料タンクが、上記指示体を移動自在に支持する円弧状の支持部を有するものであってもよい。
【００１３】
指示体を移動自在に支持する円弧状の支持部を有する方式を採用しても、安価に水準器付き燃料電池が実現される。
【００１４】
また、上記目的を達成する本発明の撮影装置は、液体燃料を消費して発電する燃料電池を搭載し燃料電池から電力の供給を受けて作動し、撮像素子上に被写体像を結像して画像データを生成する撮影装置において、
上記燃料電池は、
上記液体燃料を貯留する液体燃料タンクと、
上記液体燃料タンク内に配備され、下に凸の円弧上のみ移動自在に移動が制限されて、その円弧上の、液体燃料タンクの傾きに応じた位置に移動する指示体とを備え、
上記液体燃料タンクの少なくとも一部が、その液体燃料タンク外部から指示体を視認させる光透過性の部材からなるものであって、
この撮影装置は、上記指示体を視認させる窓部を備えたことを特徴とする。
【００１５】
本発明の撮影装置によれば、撮影者が、水平度のずれを確認しながら撮影できるので、水平度が保たれた画像を得ることができる。
【発明の効果】
【００１６】
以上説明したように、本発明によれば、省スペースかつ安価に実現される水準器を備えた燃料電池、およびこの燃料電池を搭載し水平度が保たれた画像が得られる撮影装置を提供することができる。
【発明を実施するための最良の形態】
【００１７】
以下図面を参照して本発明の実施の形態を説明する。
【００１８】
図１は、本実施形態で採用されている燃料電池の原理説明図である。
【００１９】
この図１の原理説明図に示す燃料電池はメタノール直接型燃料電池（ＤＭＦＣ）であり、このＤＭＦＣでは、メタノール水溶液（ＣＨ3ＣＯＯＨ＋Ｈ2Ｏ）と酸素（Ｏ2）との化学反応により発電が行なわれる。
【００２０】
このＤＭＦＣは、燃料極（アノード）２と空気極（カソード）３との間にプロトン導電膜からなる電解質１が挟まれた構造を有し、メタノール水溶液（ＣＨ3ＣＯＯＨ＋Ｈ2Ｏ）は燃料極（アノード）２における触媒作用により水素イオン（Ｈ+）と電子（ｅ-）と二酸化炭素（ＣＯ2）に分解される。二酸化炭素（ＣＯ2）は燃料極（アノード）２から放出され、水素イオン（Ｈ+）はプロトン導電膜からなる電解質１中を移動して空気極（カソード）３に達し、その空気極（カソード）３に供給されてまた酸素（Ｏ2）と結びついて水（Ｈ2Ｏ）が生成され、その水（Ｈ2Ｏ）が空気極（カソード）３から排出される。また、燃料極（アノード）２における化学反応で生成された電子（ｅ-）により、空気極（カソード）３と燃料極（アノード）２との間に電流が流れ、これがすなわち、このＤＭＦＣで発電が行なわれたことになる。
【００２１】
次に、本発明の第１の実施形態である燃料電池を説明する。
【００２２】
図２は、本発明の第１の実施形態である燃料電池１０を、前方斜め上から見たときの、燃料電池の外観斜視図である。
【００２３】
また、図３は、図２に示す燃料電池１０の側面図である。
【００２４】
図２に示されるように、この燃料電池１０には、燃料タンク１１および燃料反応室１２が備えられている。燃料タンク１１は、燃料を貯留する燃料貯留部１１ａと、燃料反応室１２で排出される燃料排出液（水）を回収する燃料排出部１２ｂとの２槽構造からなっている。また、この燃料タンク１１は光透過性の部材で製造されており、使用者が燃料タンク外部から内部を視認できる。燃料反応室１２は、メタノール直接型燃料電池（ＤＭＦＣ）における反応が実際に行なわれるところであり、燃料極（アノード）１４と空気極（カソード）１５との間にプロトン導電膜からなる電解質１３が挟まれた構造を有している。ここで、燃料極（アノード）１４、空気極（カソード）１５、および電解質１３は、図１に示した、燃料極（アノード）２、空気極（カソード）３、および電解質３に各々相当する。
【００２５】
また、燃料反応室１２には、燃料タンク１１の燃料貯留部１１ａから液体燃料であるメタノール水溶液（ＣＨ3ＣＯＯＨ＋Ｈ2Ｏ）が供給される燃料供給口１６および燃料反応室１２で生成される燃料排出液（水）が排出される排出液回収口１７が備えられている。
【００２６】
また、この燃料タンク１１の燃料貯留部１１ａ内部の天井１８には、吊り下げ部材１９の両端のうちの一端が支点として回動自在に支持されており、他方の一端には、円盤状の錘２０が備えられ、吊り下げ部材１９と錘２０とで振り子２１を構成している。
【００２７】
次に、本発明の第１の実施形態である、この燃料電池１０における水準器としての動作について説明する。
【００２８】
図２に示されるように、この振り子２１は、液体燃料タンク１１内の液体燃料の有無にかかわらずに天井１８の支点を中心に回動可能である。ただし、図３に示されるように、燃料タンク１１の幅が狭いために、この振り子２１の錘２０の燃料タンク１１の幅方向への揺れが制限され、この振り子２１の錘２０は、図３に示すｘ−ｘ方向にのみ移動する。このｘ−ｘ方向の移動にあっては、吊り下げ部材１９の長さを半径とする下に凸の円弧上のみ移動自在に移動し、液体燃料タンク１１が傾くと、液体燃料タンク１１の傾きに応じた位置に静止する。
【００２９】
従って、この錘２０の位置が水平度の目安となる指示体として働くので、液体燃料タンク１１に水準器が備えられた燃料電池１０が実現する。
【００３０】
次に、第２の実施形態である燃料電池を説明する。ここでは、図２、図３に示す第１の実施形態の燃料電池との相違点についてのみ説明する。
【００３１】
図４は、本発明の第２の実施形態である燃料電池３０の、前方斜め上から見たときの外観斜視図である。
【００３２】
また、図５は、本発明の第２の実施形態である燃料電池３０の側面図である。
【００３３】
この燃料タンク３１は、燃料を貯留する燃料貯留部３１ａと、燃料排出液を回収する燃料排出部３１ｂとの２層構造からなっており、燃料貯留部３１ａ内部の底には、玉３２を内部に有する支持部３３が設けられている。
【００３４】
図６は、この支持部３３を取り出したときの、前方から見たときの正面図である。また、図７は、この支持部３３の側面図である。
【００３５】
図６に示すように、この支持部３３は、上部が下に凸の円弧状になっていることを特徴とする荷台３３ａと、その荷台３３ａ上に設けられた、上部および下部が下に凸の円弧状の光透過性の部材３３ｂとから構成されている。この光透過性の部材３３ｂ内には、玉３２が移動可能な通路３４が備えられている。図７に示すように、通路３４の幅が狭く、玉３２の移動方向（図６に示すｘ−ｘ方向）とは直角の燃料タンクにおける幅方向の移動は無視できる。したがって、この玉３２は、下に凸の円弧上のみ移動自在に移動が制限される。
【００３６】
次に、本発明の第２の実施形態である、この燃料電池３０における水準器としての動作について説明する。
【００３７】
玉３２は、通路３４内において、下に凸の円弧上のみ移動自在に移動が制限されて、液体燃料タンク３１の傾きに応じた位置に移動する。したがって、玉３２の位置が水平度の目安となる指示体として働くので、液体燃料タンク３１に水準器が備えられた燃料電池３０が実現する。
【００３８】
次に、本発明の撮影装置について説明する。
【００３９】
図８は、本発明の撮影装置の一実施形態であるデジタルカメラ１００の、前方斜め上から見たときの外観斜視図である。
【００４０】
また、図９は、後方斜め上から見たときのデジタルカメラ１００の外観斜視図である。
【００４１】
図８、図９に示すデジタルカメラ１００は、上述した燃料電池１０を搭載しており、燃料電池から電力の供給を受けて作動し、撮像素子上に被写体像を結像して画像データを生成する撮影装置である。
【００４２】
図８に示されるように、デジタルカメラ１００の前面１０２には、被写体像を結像させるための撮影レンズ１０３、被写体を見るための光学式ファインダ対物窓１０４、および瞬間的に閃光発光する閃光発光部１０５が備えられている。
【００４３】
また、このデジタルカメラ１００の上面１０６には、後述するシャッタを作動させるためのシャッタボタン１０７、および燃料電池開閉扉１０８が備えられている。この開閉扉１０８は、燃料電池１０の出し入れの際に開閉するものである。
【００４４】
また、このデジタルカメラ１００の内部には、燃料電池収容室１０９が形成されている。この燃料電池収容室１０９は、燃料電池１０が装填されると、燃料電池１０の燃料反応室１２がデジタルカメラ１００内の内部回路と電気的に接続され、上述した図１における燃料電池の原理に従って、発電可能となる。
【００４５】
また、このデジタルカメラ１００の側面１１０には、記録メディア装填口１１１が設けられている。この記録メディア装填口１１１から、画像データを記録する記録メディア３３８が取出し自在に装填される。
【００４６】
ここで、図９に示されるように、このデジタルカメラ１００の背面１１２には、電源ボタン２０１、モードスイッチ２０３が設けられている。このモードスイッチ２０３は、撮影モードと再生モードとを切り換えるスイッチである。この電源ボタン２０１は、デジタルカメラ１００の電源をＯＮ／ＯＦＦするものである。
【００４７】
また、このデジタルカメラ１００の背面１１２には、メニュー切替えおよび実行キー２０２が備えられている。このメニュー切替えおよび実行キー２０２は、撮影モード時には静止画撮影や動画撮影、再生モード時には静止画再生や動画再生に使用されるメニューを自在に切り替えて設定条件を選択して実行するキーである。
【００４８】
さらに、このデジタルカメラ１００の背面１１２には、光学式ファインダ接眼窓２０４、広角ズームキー２０５、望遠ズームキー２０６、および液晶表示パネル２０７が備えられている。光学式ファインダ接眼窓２０４は、使用者が撮影の際に被写体を覗く窓である。広角ズームキー２０５は、焦点距離を広角側に変更するためのキーであり、望遠ズームキー２０６は、焦点距離を望遠側に変更するためのキーである。液晶表示パネル２０７は、被写体の画像、メニュー切替えおよび実行キー２０２のメニュー等を液晶表示するものである。
【００４９】
また、このデジタルカメラ１００の背面１１２には、光透過性の窓２０８が備えられている。この窓２０８には、このデジタルカメラ１００の姿勢が水平な状態にあることを使用者に認識させるための目盛り２１０が付いている。
【００５０】
次に、デジタルカメラ１００の内部構成を説明する。
【００５１】
図８は、図６、図７に示すデジタルカメラ１００の内部構成を示すブロック図である。
【００５２】
このデジタルカメラ１００には、撮影レンズ１０３、シャッタ３００、第１モータドライバ３０２、第２モータドライバ３０４、タイミングジェネレータ３０６およびＣＣＤ３０８が備えられている。ＣＣＤ３０８は、撮影レンズ１０３を経由してきた被写体光を捉える固体撮像素子である。シャッタ３００は、撮影レンズ１０３の光軸後方に配設され開閉されるものである。第１モータドライバ３０２はシャッタ３００の開閉を行ない、第２モータドライバ３０４は撮影レンズ１０３を駆動するものである。タイミングジェネレータ３０６は、所定のタイミングでＣＣＤ３０８を駆動するものである。
【００５３】
このデジタルカメラ１００には、ＣＰＵ３１０、データバス３２０が備えられいる。このＣＰＵは、デジタルカメラ１００の動作を制御するものである。このＣＰＵ３１０には、読み出し専用のＲＯＭ３１２が内蔵されており、このＲＯＭ３１２内にはプログラムが格納されている。このプログラムの手順にしたがってデジタルカメラ１００の動作がＣＰＵ３１０により制御される。このデータバス３２０は、各ブロックとのデータのやりとりに使用されるものである。
【００５４】
このデジタルカメラ１００には、ＣＤＳＡＭＰ３１４、およびＡ／Ｄ変換部３１６が備えられている。ＣＤＳＡＭＰ３１４はＣＣＤ３０８から出力されたアナログ画像信号の雑音を低減する処理等を行ない、Ａ／Ｄ変換部３１６はこのアナログ画像信号をデジタル画像信号に変換する。
【００５５】
また、このデジタルカメラ１００には、画像入力コントローラ３１８が備えられている。画像入力コントローラ３１８は、Ａ／Ｄ変換部３１６でデジタル画像信号に変換された画像データをＳＤＲＡＭ３２２に転送する。このＳＤＲＡＭ３２２は、画像データを高速に処理する際に用いられるメモリである。
【００５６】
また、このデジタルカメラ１００には、ＡＦ検出部３２６およびＡＥ＆ＡＷＢ検出部３２８が備えられている。ＡＦ検出部３２６は画像のピント情報を検出し、ＡＥ＆ＡＷＢ検出部３２８は画像の輝度情報と白色バランス情報を検出する。
【００５７】
また、このデジタルカメラ１００には、画像信号処理部３２４が備えられている。この画像信号処理部３２４は、ＳＤＲＡＭ３２２に記憶された画像データの画像処理を実行する。
【００５８】
また、このデジタルカメラ１００には、圧縮処理部３３０およびＶＲＡＭ３３２が備えられている。圧縮処理部３３０は、画像信号処理部３２４での画像処理が終了した後に画像データの圧縮を行なう。ＶＲＡＭ３３２は、液晶表示パネル２０７に表示される内容を保持しているメモリであり、Ａ領域、Ｂ領域の２つのバッファ領域を有している。また、このデジタルカメラ１には、Ｖｉｄｅｏ／ＬＣＤエンコーダ３３４およびメディア記録制御部３３６が備えられている。Ｖｉｄｅｏ／ＬＣＤエンコーダ３３４は、画像データをビデオ信号に変換して液晶表示パネル２０７に導く。メディア記録制御部３３６は、画像データを記録メディア３３８に記録するための制御を行なう。この記録メディア３３８は、ＳＤカード等の記録メディアである。
【００５９】
このデジタルカメラ１００には、燃料電池１０、コンバータ３４０、二次電池３４２が備えられている。コンバータ３４０は、実際に燃料電池１０を発電させるものである。この二次電池３４２は、繰り返し充電して使用できるリチウムイオン電池等である。そして、このデジタルカメラ１００は、二次電池３４２から電力の供給を受けて各ブロックへ給電される。なお、ＣＰＵ３１０は、二次電池３４２における電力の残量をチェックしており、二次電池３４２内の電力が不足してくると、ＣＰＵ３１０はコンバータ３４０を作動させ、燃料電池１０ではそのコンバータ３４０の制御下で発電が行なわれ、その発電による電力で二次電池３４２が充電される。また、ＣＰＵ３１０は、燃料電池１０における液体燃料の残量をチェックしており、このＣＰＵ３１０は、液晶表示パネル２０７に液体燃料の残量を表示させて、使用者にその残量を知らせることができる。
【００６０】
このデジタルカメラ１００には、操作部３４４が備えられている。この操作部３４４は、図９に既に説明したデジタルカメラ１００の背面１１２および上面１０６に備えられている各操作子の操作を受け付けてＣＰＵ３１０に各操作子の処理の命令を出す。
【００６１】
次に、本発明の実施形態である、このデジタルカメラ１００の撮影動作について説明する。
【００６２】
このデジタルカメラ１００の撮影動作は統合的にＣＰＵ３１０により制御される。
【００６３】
先ず、使用者が電源ボタン２０１を押して電源投入操作をすると、操作部３４４が電源投入操作を受け付けて、ＣＰＵ３１０がＲＯＭ３１２のプログラムを起動することにより、撮影が受け付けられる体制に移行する。
【００６４】
ここで、図１１は、一例として、被写体を撮影するときのデジタルカメラ１００を背面から見たときの図である。
【００６５】
使用者は、窓２０８を通して錘２０を視認することにより、目盛り２１０を手がかりにしてデジタルカメラ１００の水平度を容易に知ることができる。
【００６６】
そこで、使用者は、デジタルカメラ１００の傾きを調節することにより、このデジタルカメラ１００を水平状態に持っていくことができる。続いて、使用者によりシャッタボタン１０７が押されると、ＣＣＤ３０８では、水平な被写体像に基づく被写体光を捉えたアナログ画像信号が得られる。そして、この画像信号は、ＣＤＳＡＭＰ３１４でこの画像信号の雑音を低減する処理等が行われ、Ａ／Ｄ変換部３１６でデジタル画像信号に変換される。次に、Ａ／Ｄ変換部３１６でデジタル画像信号に変換された画像データは、画像入力コントローラ３１８により、データバス３２０を介してＳＤＲＡＭ３２２に転送される。
【００６７】
次に、ＳＤＲＡＭ３２２に転送された画像データは、ＡＦ検出部３２６で画像のピント情報が検出され、続いて、ＡＥ＆ＡＷＢ検出部３２８で画像の輝度情報と白色バランス情報が検出される。これらの情報をもとに、画像信号処理部３２４で、画像処理が行われる。
【００６８】
次に、画像信号処理部３２４での画像処理された画像データは、圧縮処理部３３０で画像データの圧縮が行われて、ＶＲＡＭ３３２に保存される。続いて、ＶＲＡＭ３３２に保存された画像データは、Ｖｉｄｅｏ／ＬＣＤエンコーダ３３４でビデオ信号に変換され液晶表示パネル２０７に導かれる。従って、使用者は、水平度の保たれた画像を得ることができる。
【００６９】
次に、本発明の第２の実施形態である燃料電池３０を搭載した撮影装置について説明する。
【００７０】
図１２は、本発明の撮影装置における第２の実施形態であるデジタルカメラ２００を、図１１と同様に、背面から見たときの、外観斜視図である。ここでは、デジタルカメラ２００については、デジタルカメラ１００との相違点のみ説明する。
【００７１】
使用者は、窓２０８を通して玉３２を視認することにより、目盛り２１０を手がかりにしてデジタルカメラ２００の水平度を容易に知ることができる。
【００７２】
そこで、使用者は、デジタルカメラ２００の傾きを調節することにより、このデジタルカメラ２００を水平状態に持っていくことができる。続いて、使用者によりシャッタボタン１０７が押されると、上述したデジタルカメラ１００と同様に水平度の保たれた画像を得ることができる。
【００７３】
以上説明したように、本発明によれば、省スペースかつ安価に実現される水準器を備えた燃料電池、およびこの燃料電池を搭載し水平度が保たれた画像が得られる撮影装置を提供することができる。なお、本発明の実施形態では、燃料タンク１１内の燃料貯留部１１ａに水準器の機能として振り子２１を設けたが、この振り子２１を燃料排出部１２ｂに設けてもよい。また、燃料タンク３１内の燃料貯留部３１ａに水準器の機能として支持部３３を設けたが、この支持部３３を燃料排出部３２ｂに設けてもよい。
【図面の簡単な説明】
【００７４】
【図１】本実施形態で採用されている燃料電池の原理説明図である。
【図２】第１の実施形態である燃料電池１０を、前方斜め上から見たときの、外観斜視図である。
【図３】図２に示す燃料電池の側面図である。
【図４】第２の実施形態である燃料電池の、前方斜め上から見たときの外観斜視図である。
【図５】第２の実施形態である燃料電池の側面図である。
【図６】支持部の、前方から見たの正面図である。
【図７】図６の支持部の側面図である。
【図８】本発明の撮影装置の一実施形態であるデジタルカメラの、前方斜め上から見たときの外観斜視図である。
【図９】デジタルカメラの、後方斜め上から見たときの外観斜視図である。
【図１０】デジタルカメラの内部構成を示す図である。
【図１１】被写体を撮影するときのデジタルカメラを背面から見たときの、外観斜視図である。
【図１２】第２の実施形態であるデジタルカメラを背面から見たときの、外観斜視図である。
【符号の説明】
【００７５】
１  電解質
２  燃料極
３  空気極
１０、３０  燃料電池
１１、３１  燃料タンク
１１ａ、３１ａ  燃料貯留部
１２ｂ、３１ｂ  燃料排出部
１２  燃料反応室
１３  電解質
１４  燃料極
１５  空気極
１６  燃料供給口
１７  排出液回収口
１８  天井
１９  吊り下げ部材
２０  錘
２１  振り子
３２  玉
３３  支持部
３３ａ  荷台
３３ｂ  光透過性の部材
３４  通路
１００  デジタルカメラ
１０２  デジタルカメラの前面
１０３  撮影レンズ
１０４  光学式ファインダ対物窓
１０５  閃光発光部
１０６  デジタルカメラの上面
１０７  シャッタボタン
１０８  燃料タンク開閉扉
１０９  燃料電池収容室
１１０  デジタルカメラの側面
１１１  記録メディア充填口
１１２  デジタルカメラの背面
２０１  電源ボタン
２０２  メニュー切替および実行キー
２０３  モードスイッチ
２０４  光学式ファインダ接眼窓
２０５  広角ズームキー
２０６  望遠ズームキー
２０７  液晶表示パネル
２０８  窓
２１０  目盛り
３００  シャッタ
３０２  第１モータドライバ
３０４  第２モータドライバ
３０６  タイミングジェネレータ
３０８  ＣＣＤ
３１０  ＣＰＵ
３１２  ＲＯＭ
３１４  ＣＤＳＡＭＰ
３１６  Ａ／Ｄ変換部
３１８  画像入力コントローラ
３２０  データバス
３２２  ＳＤＲＡＭ
３２４  画像信号処理部
３２６  ＡＦ検出部
３２８  ＡＥ／ＡＷＢ検出部
３３０  圧縮処理部
３３２  ＶＲＡＭ
３３４  Ｖｉｄｅｏ／ＬＣＤエンコーダ
３３６  メディア記録制御部
３３８  記録メディア
３４０  コンバータ
３４２  二次電池
３４４  操作部
【図１】
2006344384.tif 000003
【図２】
2006344384.tif 000004
【図３】
2006344384.tif 000005
【図４】
2006344384.tif 000006
【図５】
2006344384.tif 000007
【図６】
2006344384.tif 000008
【図７】
2006344384.tif 000009
【図８】
2006344384.tif 000010
【図９】
2006344384.tif 000011
【図１０】
2006344384.tif 000012
【図１１】
2006344384.tif 000013
【図１２】
2006344384.tif 000014
【手続補正書】
【提出日】平成17年6月15日(2005.6.15)
【手続補正１】
【補正対象書類名】図面
【補正対象項目名】図１０
【補正方法】変更
【補正の内容】
【図１０】
2006344384.tif 000015